(57)【特許請求の範囲】
【請求項１】
表裏面に沿って壁幅方向に所定間隔をあけて配置されている複数の縦筋を備える鉄筋コンクリート造耐震壁であって、
平面形状が壁幅方向に凹部と凸部とを交互に連続させる波形状に形成されている複数の波形横筋を備え、
この波形横筋を対として前記凹部と凸部とが対向するように互いに交差させている波形横筋対が壁高さ方向に所定間隔で配置され、
この波形横筋対の前記対向する凹部と凸部とが、表裏面に沿って配置されている２本を含む複数本の前記縦筋を囲むように配置されていることを特徴とする鉄筋コンクリート造耐震壁。
【請求項２】
壁高さ方向に上下に隣り合う前記波形横筋対は、それぞれの前記対向する凹部及び凸部の位置が壁幅方向にずらして配置されていることを特徴とする請求項１に記載の鉄筋コンクリート造耐震壁。
【発明の詳細な説明】
【技術分野】
【０００１】
本発明は、鉄筋コンクリート造耐震壁、特に高い靭性能を要する鉄筋コンクリート造耐震壁に関する。
【背景技術】
【０００２】
従来、鉄筋コンクリート造耐震壁の配筋構造として、図３に示す構成が用いられている。図３に示す構造では、鉄筋コンクリート造耐震壁１１の表裏面に沿ってそれぞれ立設される複数の縦筋１２と、この縦筋１２とともに格子状をなし壁幅にわたって配置される複数の横筋１３と、両端が曲げ返され縦筋１２間に壁厚方向に架け渡される複数の面外補強筋１４とが配筋されている。
【０００３】
建物が地震力を受け、耐震壁１１に曲げ及びせん断力が作用し部分的に圧縮力が入力されると、耐震壁１１はその厚さ方向（面外方向）に広がるように変形しようとする。地震力が増加し圧縮力が大きくなってこの変形が顕著になると、耐震壁１１は脆性的な破壊に至って水平耐力を失う。面外補強筋１４は、この変形を拘束することによって、耐震壁１１の変形性能を高める役割をし、その靭性能を向上させている。
【０００４】
また、鉄筋コンクリート造耐震壁において、靭性の向上、配筋作業の効率化を図るために、複数の縦筋を囲むように環状補強筋、スパイラルフープ筋又は環状鉄筋を設けることが考えられている（例えば、特許文献１、２又は３参照。）
【特許文献１】特開２００２−３２２７５１号公報
【特許文献２】特開昭６４−７５７８４号公報
【特許文献３】特開平５−７１１７０号公報
【発明の開示】
【発明が解決しようとする課題】
【０００５】
しかし、上記の面外補強筋や環状補強筋などを配筋する方法では、以下の理由によりその施工が煩雑となる。すなわち、壁幅方向、壁高さ方向における面外補強筋や環状補強筋などの配筋箇所数が多い。また、その面外補強筋の両端や環状補強筋などの四隅における折り曲げ加工数が多い。そして、このように折り曲げ加工されているため、面外補強筋や環状補強筋などは配筋しにくい。さらに、面外補強筋や環状補強筋などでコンクリートの被り厚さが決定されるため、被り厚さの管理を全ての面外補強筋や環状補強筋などにおいてする必要がある。
【０００６】
本発明の課題は、鉄筋コンクリート造耐震壁において、煩雑な配筋施工を要することなく、その靭性能を向上させることである。
【課題を解決するための手段】
【０００７】
以上の課題を解決するため、請求項１に記載の発明は、例えば図１、２に示すように、表裏面に沿って壁幅方向に所定間隔をあけて配置されている複数の縦筋５を備える鉄筋コンクリート造耐震壁１であって、平面形状が壁幅方向に凹部２と凸部３とを交互に連続させる波形状に形成されている複数の波形横筋７を備え、この波形横筋７を対として前記凹部２と凸部３とが対向するように互いに交差させている波形横筋対６が壁高さ方向に所定間隔で配置され、この波形横筋対６の前記対向する凹部２と凸部３とが、表裏面に沿って配置されている２本を含む複数本の前記縦筋５を囲むように配置されていることを特徴とする。
【０００８】
このように、横筋を平面形状が壁幅方向に交互に凹部２と凸部３とを交互に連続させる波形状に形成し、この波形横筋７を対にしてそれぞれの凹部２と凸部３とが対向するように互いに交差させている。そして、この波形横筋対６の対向する凹部２と凸部３とが、表裏面に沿って配置されている２本を含む複数本の縦筋５を囲むことにより、耐震壁１のコアコンクリートを拘束する。この波形横筋７の拘束効果（コンファインド効果）により、コンクリートの変形性能が向上し、耐震壁１の壁厚方向（面外方向）の変形が抑制され、その靭性能が向上する。
【０００９】
また、耐震壁１が水平力を受けると、波形横筋７にはそれに抵抗するように引張力Ｔが生じる。波形横筋７が引張力Ｔを受けると直線に戻ろうとするため、波形横筋対６はコアコンクリートに対し面外方向より圧縮力Ｃを加える。この圧縮力Ｃにより、コアコンクリートの面外方向の変形はさらに抑制される。
【００１０】
このように、波形横筋対６を配置するのみで耐震壁１の壁厚方向の変形を抑制するため、従来のような施工が煩雑となる面外補強筋や環状補強筋などを必要しない。よって、従来に比べ折り曲げ加工する箇所数も少なくて、配筋もしやすいので、配筋の施工性がよく、その工期、コストを抑えることができる。また、コンクリートの被り厚さは、波形横筋７のみにより決定するため、スペーサなどにより容易に管理することができる。
【００１１】
請求項２に記載の発明は、請求項１に記載の鉄筋コンクリート造耐震壁１において、例えば図１に示すように、上下に隣り合う前記波形横筋対６は、それぞれの前記対向する凹部２及び凸部３の位置が壁幅方向にずらして配置されていることを特徴とする。
【００１２】
このように、上下に隣り合う前記波形横筋対６において、それぞれの前記対向する凹部２及び凸部３の位置を壁幅方向にずらして配置することにより、波形横筋７の壁幅方向の不連続部分を壁高さ方向に連続させず、耐震壁１の靭性能を確保することができる。
【発明の効果】
【００１３】
本発明によれば、波形横筋対の対向する凹部と凸部とでコアコンクリートを拘束することにより、煩雑な配筋施工を要することなく、鉄筋コンクリート造耐震壁の壁厚方向（面外方向）の変形を拘束し、その靭性能を向上させることができる。
【発明を実施するための最良の形態】
【００１４】
以下、図を参照して本発明を実施するための最良の形態を詳細に説明する。図１、２に示すように、本実施の形態は、本発明を、鉄筋コンクリート造柱８（以下、柱８という。）が両側に設けられている鉄筋コンクリート造耐震壁１（以下、耐震壁１という。）に適用したものである。
【００１５】
柱８は、その内部に、外周面に沿って所定間隔をあけて配置されている複数の主筋９と、これら複数の主筋９を外側から囲む複数の帯筋１０とを備えている。
【００１６】
耐震壁１は、その内部に、表裏面に沿って壁幅方向に所定間隔をあけて配置されている複数の縦筋５を備えている。これらの縦筋５は、壁厚方向に所定間隔をあけて対（以下、縦筋対４という。）となっている。
【００１７】
さらに、耐震壁１は、その内部に、鉛直方向からみた平面形状が壁幅方向に向かって凹部２と凸部３とを交互に連続させる波形状に形成されている複数の波形横筋７を備えている。具体的には、波形横筋７は、耐震壁１の一方の側面側と他方の側面側とに交互に、壁幅方向に所定間隔をあけて位置する複数の横筋部７ａと、交互に位置する横筋部７ａの端部どうしをつなぎ、壁幅方向に対して斜めとなって位置する複数の斜筋部７ｂを有している。つまり、波形横筋７の凹部２と凸部３は、それぞれ連続する複数の横筋部７ａ及び斜筋部７ｂとによって台形状に形成されている。また、それぞれの波形横筋７の両端部は、横筋部７ａが延長されて耐震壁１の端面から突出して、両側の柱８に定着されている。
【００１８】
この波形横筋７を２本で対として、鉛直方向からみてそれぞれの波形横筋７の凹部２と凸部３とが対向するように互いに交差させている（以下、波形横筋対６という。）。この波形横筋対６が壁高さ方向に所定間隔で複数配置されている。具体的には、波形横筋対６は、それぞれの波形横筋７の横筋部７ａが対向し、斜筋部７ｂがＸ形に交差して構成されている。
【００１９】
ここで、波形横筋７は、波形横筋７が２対の縦筋対４ごとに折れ曲がり、隣り合う縦筋対４の間で折れ曲がって形成され、その折れ曲がり点に、縦筋５が配置されている。そして、対向する凹部２と凸部３とが、すなわち対向する横筋部７ａとその両側の斜筋部７ｂとが、表裏面に沿って配置されている２対の縦筋対４（４本の縦筋５）を囲んでいる。
【００２０】
また、図２に示すように、波形横筋対６は、斜筋部７ｂの交差をその上下を壁幅方向に交互に入れ換えて編むように重ねられて構成されている。
【００２１】
さらに、鉛直方向において上下に隣り合う波形横筋対６は、それぞれの対向する凹部２と凸部３の位置が壁幅方向にずらして配置されている。具体的には、上下位置にある波形横筋対６の横筋部７ａと斜筋部７ｂとが交互にずらして配置されている。
【００２２】
なお、波形横筋７は、鉄筋を波形に折り曲げて加工したもので、あらかじめ工場生産したもの、または現場加工したものである。この波形横筋７と縦筋５とを所定位置で互いに固定して配筋し、その周りに型枠を組み立てた後、型枠内にコンクリート等が打設されて耐震壁１が形成される。
【００２３】
本実施の形態によれば、この波形横筋対６の対向する横筋部７ａとその両側の斜筋部７ｂとが、表裏面に沿って配置されている複数本の縦筋５を囲むことによって、耐震壁１のコアコンクリートを拘束することができる。この波形横筋７の拘束効果（コンファインド効果）により、コンクリートの変形性能を向上させ、耐震壁１の壁厚方向（面外方向）の変形を抑制し、その靭性能を向上させることができる。
【００２４】
また、耐震壁１が水平力を受けると、波形横筋７にはそれに抵抗するように引張力Ｔが生じる。波形横筋７が引張力Ｔを受けると斜筋部７ｂが直線に戻ろうとするため、波形横筋対６はコアコンクリートに対し面外方向より圧縮力Ｃを加える。この圧縮力Ｃにより、コアコンクリートの面外方向の変形をさらに抑制することができる。以上の２つの作用により、耐震壁１の靭性能を向上させることができる。
【００２５】
そして、耐震壁１の壁厚方向の変形を抑制するのに、従来のような施工が煩雑となる面外補強筋や環状補強筋などを必要とせず、波形状に折り曲げ加工された波形横筋対６を配置するのみでよく、従来に比べ折り曲げ加工する箇所数も少なくて、配筋もしやすいので、配筋の施工性がよく、その工期、コストを抑えることができる。また、コンクリートの被り厚さは、波形横筋７の横筋部７ａのみにより決定するため、スペーサなどにより容易に管理することができる。
【００２６】
さらに、上下に隣り合う前記波形横筋対６において、それぞれの前記対向する横筋部７ａの位置（交差する斜筋部７ｂの位置）を壁幅方向にずらして配置することにより、波形横筋７の壁幅方向の不連続部分である無筋部分を壁高さ方向に連続させず、耐震壁１の靭性能を確保することができる。
【００２７】
なお、以上の実施の形態においては、両側に柱を有する耐震壁に適用したが、本発明はこれに限定されるものではなく、柱を有さない壁式構造の耐震壁に適用してもよい。また、縦筋の配置は、壁厚方向からみて必ずしも同位置で対になっていなくもよい。さらに、波形横筋対は、２本の波形横筋を必ずしも互いに接触させる必要はなく、鉛直方向からからみて横筋部が対向し斜筋部が交差した状態で、壁高さ方向に隙間を有するようにしてもよい。そして、波形横筋対の対向する横筋部と斜筋部とで囲む縦筋の本数、波形横筋の波形状など、その他、具体的な細部構造等についても適宜に変更可能であることは勿論である。
【図面の簡単な説明】
【００２８】
【図１】本発明の鉄筋コンクリート造耐震壁の一実施形態を示す水平断面図であり、（ａ）と（ｂ）とは鉛直方向に上下に隣り合う波形横筋対の配置を示したものである。
【図２】図１、２における実施形態において要部を示した拡大水平断面図である。
【図３】従来の鉄筋コンクリート造耐震壁を示す水平断面図である。
【符号の説明】
【００２９】
１  鉄筋コンクリート造耐震壁
２  凹部
３  凸部
４  縦筋対
５  縦筋
６  波形横筋対
７  波形横筋
７ａ  横筋部
７ｂ  斜筋部
【図１】
0004745055.tif 000002
【図２】
0004745055.tif 000003
【図３】
0004745055.tif 000004